(57)【要約】【課題】管球部と副鏡との隙間に冷却風が入り易く、姿勢差の影響を低減させて管球部を適正に冷却できる光源装置およびプロジェクターを提供すること。【解決手段】光源装置１１０は、照明光軸Ｌに沿って配置された電極４２，５２を内蔵する管球部３０と、管球部３０の両側に伸びる封止部４０，５０とを有する発光管２０と、発光管２０の封止部４０側に設置され、発光管２０から射出された光束を被照明領域側に向けて反射するリフレクター１０と、管球部３０の被照明領域側の外面を覆うように封止部５０側に設置され、発光管２０からの光束を発光管２０に向けて反射する副鏡６０と、を備え、副鏡６０の開口端面６４は、水平方向を切り欠いた切り欠き部６５を有している。【選択図】図３
2010198816.tif 000002
【特許請求の範囲】
【請求項１】
照明光軸に沿って配置された一対の電極を内蔵する管球部と当該管球部の両側に伸びる一対の封止部とを有する発光管と、
前記発光管の一方の封止部側に設置されて前記発光管から射出された光束を被照明領域側に向けて反射するリフレクターと、
前記管球部の前記被照明領域側の外面を覆うように他方の封止部側に設置され、前記発光管からの前記光束を前記発光管に向けて反射する副鏡と、を備え、
前記副鏡の開口端面は、水平方向を切り欠いた切り欠き部を有していることを特徴とする光源装置。
【請求項２】
請求項１に記載の光源装置であって、
前記切り欠き部は、傾斜面を有していることを特徴とする光源装置。
【請求項３】
請求項１または請求項２に記載の光源装置であって、
前記管球部を冷却する冷却風は前記管球部の水平方向から吹き付けられることを特徴とする光源装置。
【請求項４】
請求項１〜請求項３のいずれか一項に記載の光源装置と、
前記光源装置から射出された光束を画像信号に基づき変調して光学像を形成する光学変調装置と、を備えることを特徴とするプロジェクター。
【発明の詳細な説明】
【技術分野】
【０００１】
本発明は、光源装置、および光源装置を備えるプロジェクターに関する。
【背景技術】
【０００２】
従来、光源装置には、特許文献１に開示されるように、発光管から射出される光束の利用効率を高めることを目的として、発光管に副鏡が設置されているものがある。この副鏡は、接着部剤を用いて発光管に固定する構造となっている。そして、副鏡の開口端面は、照明光軸に略垂直な平面となるように設置されている。なお、管球部が発光した場合、熱対流の影響により、管球部の上部が下部に比べて高温となる。そして、この管球部の上部の温度を下げる（上部を冷却する）ために、一般的に、管球部の上方から冷却風を吹き付けている。
【先行技術文献】
【特許文献】
【０００３】
【特許文献１】特開２００８−２２６５７０号公報
【発明の概要】
【発明が解決しようとする課題】
【０００４】
しかし、副鏡が発光管に固定される光源装置の場合、管球部の上方から冷却風を吹き付けても、構造上、管球部と副鏡との間（所定距離離間された隙間）に管球部を冷却するための冷却風が入り難くなってしまうという課題がある。そして、管球部の上部を適正な温度とするように冷却風の風量や風速を上げて送風した場合、管球部の下部の温度が必要以上に低下して黒化が生じる場合がある。また、逆に、管球部の下部を適正な温度となるように送風した場合、管球部の上部の温度が必要以上に高くなり、白化が生じる場合がある。このような現象が生じた場合、現象が生じた管球部の領域が失透し、いずれも発光管の光量が低下する要因となる。
なお、発光管や管球部に関して上下とは、これらの設置が予定される環境において、重力を基準とした方向を意味する。
【０００５】
白化とは、管球部を構成する基材が高温による再結晶化の際に白濁する現象のことである。また、黒化とは、電極を構成する基材（例えばタングステン）が、低温によりハロゲンサイクルが正常に行われない場合、蒸発したタングステン原子が電極に戻れずに管球部の内壁に付着する現象のことである。
【０００６】
光源装置を使用する際の姿勢には、光源装置を備えたプロジェクターを例にした場合、机上などに載置した姿勢で使用する通常使用状態と、上下を逆転して天吊りした姿勢で使用する天吊使用状態とがある。それにより、通常使用状態では、冷却風が管球部の上方から吹き付ける状態であっても、天吊使用状態では、上下が逆転するため、冷却風が管球部の下方から吹き付ける状態となる。この場合、冷却を必要とする管球部の上部は更に高温となり、下部は必要以上に低温となる。このように、光源装置を使用する際の姿勢差によって、管球部の上部の温度や下部の温度を適正に冷却できないという課題もある。
従って、管球部と副鏡との隙間に冷却風が入り易く、姿勢差の影響を低減させて管球部を適正に冷却できる光源装置およびプロジェクターが要望されていた。
【課題を解決するための手段】
【０００７】
本発明は、上述した課題の少なくとも一部を解決するためになされたものであり、以下の形態または適用例として実現することが可能である。
【０００８】
（適用例１）本適用例に係る光源装置は、（ａ）照明光軸に沿って配置された一対の電極を内蔵する管球部と管球部の両側に伸びる一対の封止部とを有する発光管と、（ｂ）発光管の一方の封止部側に設置されて発光管から射出された光束を被照明領域側に向けて反射するリフレクターと、（ｃ）管球部の被照明領域側の外面を覆うように他方の封止部側に設置され、発光管からの光束を発光管に向けて反射する副鏡と、を備え、副鏡の開口端面は、水平方向を切り欠いた切り欠き部を有していることを特徴とする。
【０００９】
このような光源装置によれば、副鏡の開口端面は、水平方向を切り欠いた切り欠き部を有しているため、冷却風が送風された場合、切り欠き部を介して管球部と副鏡との隙間に冷却風が入り易くなる。また、例えば、水平方向から冷却風が送風される場合、光源装置を使用する際の姿勢差（通常使用状態および天吊使用状態）による影響を低減させて管球部を適正に冷却することができる。
【００１０】
（適用例２）上記適用例に係る光源装置において、切り欠き部は、傾斜面を有していることが好ましい。
【００１１】
このような光源装置によれば、切り欠き部が傾斜面を有することにより、冷却風を傾斜面に沿って円滑に流動できるため、冷却風が送風された場合、切り欠き部を介して管球部と副鏡との隙間に冷却風が円滑に入り易くなる。
【００１２】
（適用例３）上記適用例に係る光源装置において、管球部を冷却する冷却風は管球部の水平方向から吹き付けられることが好ましい。
【００１３】
このような光源装置によれば、管球部を冷却する冷却風は管球部の水平方向から吹き付けられるため、光源装置を使用する際の姿勢差（通常使用状態および天吊使用状態）による影響を低減させて管球部を適正に冷却することができる。
【００１４】
（適用例４）本適用例に係るプロジェクターは、上述したいずれかの光源装置と、光源装置から射出された光束を画像信号に基づき変調して光学像を形成する光学変調装置と、を備えることを特徴とする。
【００１５】
このようなプロジェクターによれば、管球部と副鏡との隙間に冷却風が入り易くなり、また、光源装置を使用する際の姿勢差（通常使用状態および天吊使用状態）による影響を低減させて管球部を適正に冷却することができる上述した光源装置を備えている。これにより、管球部の白化や黒化の発生を抑制できるため、光源装置の長寿命化を図れるプロジェクターを実現できる。
【図面の簡単な説明】
【００１６】
【図１】第１実施形態に係るプロジェクターの光学系を示す図。
【図２】光源装置の断面図。
【図３】発光管および副鏡を示す図であり、（ａ）は発光管および副鏡の断面図であり、（ｂ）は発光管および副鏡の斜視図。
【図４】第２実施形態に係る光源装置の発光管および副鏡を示す図であり、（ａ）は発光管および副鏡の断面図であり、（ｂ）は発光管および副鏡の斜視図。
【図５】第３実施形態に係る光源装置の発光管および副鏡を示す図であり、（ａ）は発光管および副鏡の断面図であり、（ｂ）は発光管および副鏡の斜視図。
【発明を実施するための形態】
【００１７】
以下、実施形態を図面に基づいて説明する。
（第１実施形態）
【００１８】
図１は、第１実施形態に係るプロジェクターの光学系を示す図である。図２は、光源装置の断面図である。なお、図１、図２の光源装置１１０は、上方向から見た断面図で示している。
図１、図２を参照して、プロジェクター１の光学系の構成および動作を説明する。
【００１９】
なお、本実施形態を説明する図面（図１、図２、および以降で説明する図３）において、光源装置１１０から被照明領域側に向けて射出される光束の照明光軸Ｌの方向をＸ軸方向、Ｘ軸方向に直交して図１における紙面に平行な方向をＹ軸方向、Ｘ軸方向に直交して図１における紙面に垂直な方向をＺ軸方向、としたＸＹＺ直交座標系で示す。また、光束の進む方向を＋Ｘ方向、＋Ｘ方向からみて左方向を＋Ｙ方向、＋Ｘ方向からみて上方向を＋Ｚ方向とする。
【００２０】
本実施形態に係るプロジェクター１は、光学系を有して構成されている。光学系は、光源装置１１０から射出された光束を画像信号に基づき変調して光学像を形成し、投写光学系６００を介してスクリーンＳなどの投写対象面に投写画像を形成するものである。
【００２１】
プロジェクター１の光学系は、図１に示すように、インテグレーター照明光学系１００と、色分離導光光学系２００と、光学変調装置と、色合成光学系と、投写光学系６００と、を有して構成されている。インテグレーター照明光学系１００は、光源装置１１０から射出された光束に対し、照明光軸Ｌに直交する面内での照度を均一化するための光学系である。色分離導光光学系２００は、インテグレーター照明光学系１００からの照明光束を赤色（Ｒ）、緑色（Ｇ）、および青色（Ｂ）の３つの色光に分離して被照明領域に導光する光学系である。
【００２２】
光学変調装置は、色分離導光光学系２００で分離された３つの色光のそれぞれを、画像信号に基づき変調する光学系であり、赤色（Ｒ）、緑色（Ｇ）、および青色（Ｂ）の３つの色光に対応させて３つの液晶装置４００Ｒ，４００Ｇ，４００Ｂを用いている。色合成光学系は、光学変調装置（３つの液晶装置４００Ｒ，４００Ｇ，４００Ｂ）によって変調された光学像を合成する光学系であり、クロスダイクロイックプリズム５００を用いている。投写光学系６００は、色合成光学系（クロスダイクロイックプリズム５００）によって合成された光学像をスクリーンＳなどの投写対象面に投写する光学系である。
【００２３】
インテグレーター照明光学系１００は、被照明領域側に照明光束を射出する光源装置１１０と、光源装置１１０からの集束光を略平行光として射出する凹レンズ９０と、凹レンズ９０から射出される照明光束を複数の部分光束に分割するための複数の第１小レンズ１２２を有する第１レンズアレイ１２０と、を有する。
【００２４】
また、インテグレーター照明光学系１００は、第１レンズアレイ１２０の複数の第１小レンズ１２２に対応する複数の第２小レンズ１３２を有する第２レンズアレイ１３０と、第２レンズアレイ１３０からの各部分光束を偏光方向の揃った略１種類の直線偏光に変換して射出する偏光変換素子１４０と、偏光変換素子１４０から射出される各部分光束を被照明領域で重畳させるための重畳レンズ１５０と、を有する。
【００２５】
光源装置１１０は、図１、図２に示すように、リフレクター１０と、リフレクター１０の第１焦点近傍に発光中心を有する発光管２０と、管球部３０で射出した光束を反射する副鏡６０とを有する。そして、光源装置１１０は、照明光軸Ｌを中心軸とする光束を射出する。
なお、光源装置１１０の構成および動作の詳細な説明は、プロジェクター１の光学系を説明した後に行う。
【００２６】
凹レンズ９０は、図１に示すように、リフレクター１０の被照明領域に配置されている。そして、リフレクター１０からの光を第１レンズアレイ１２０に向けて射出するように構成されている。
【００２７】
第１レンズアレイ１２０は、凹レンズ９０からの光を複数の部分光束に分割する光束分割光学素子としての機能を有し、複数の第１小レンズ１２２が照明光軸Ｌと直交する面内に複数行、複数列のマトリクス状に配列された構成を有する。第１小レンズ１２２の外形形状は、液晶装置４００Ｒ，４００Ｇ，４００Ｂの画像形成領域の外形形状に対して相似形となる。
【００２８】
第２レンズアレイ１３０は、重畳レンズ１５０と共に、第１レンズアレイ１２０の各第１小レンズ１２２の像を液晶装置４００Ｒ，４００Ｇ，４００Ｂの画像形成領域近傍に結像させる機能を有する。第２レンズアレイ１３０は、第１レンズアレイ１２０と略同様の構成を有し、複数の第２小レンズ１３２が照明光軸Ｌと直交する面内に複数行、複数列のマトリクス状に配列された構成を有する。
【００２９】
偏光変換素子１４０は、第１レンズアレイ１２０により分割された各部分光束の偏光方向を、偏光方向の揃った略１種類の直線偏光として射出する偏光素子である。偏光変換素子１４０は、光源装置１１０から射出された光束に含まれる偏光成分のうち一方の直線偏光成分を透過し、他方の直線偏光成分を照明光軸Ｌに垂直な方向に反射する偏光分離層と、偏光分離層で反射された他方の直線偏光成分を照明光軸Ｌに平行な方向に反射する反射層と、偏光分離層を透過した一方の直線偏光成分を他方の直線偏光成分に変換する位相差板とを有する。
【００３０】
重畳レンズ１５０は、第１レンズアレイ１２０、第２レンズアレイ１３０、および偏光変換素子１４０を通過した複数の部分光束を集光して液晶装置４００Ｒ，４００Ｇ，４００Ｂの画像形成領域近傍に重畳させるための光学素子である。重畳レンズ１５０は、重畳レンズ１５０の光軸とインテグレーター照明光学系１００の照明光軸Ｌとが略一致するように配置されている。なお、重畳レンズ１５０は、複数のレンズを組み合わせた複合レンズで構成されていてもよい。
【００３１】
色分離導光光学系２００は、ダイクロイックミラー２１０，２２０と、反射ミラー２３０，２４０，２５０と、入射側レンズ２６０と、リレーレンズ２７０とを有する。色分離導光光学系２００は、重畳レンズ１５０から射出される照明光束を、赤色光、緑色光、青色光の３つの色光に分離して、それぞれの色光を照明対象となる３つの液晶装置４００Ｒ，４００Ｇ，４００Ｂに導く機能を有する。
【００３２】
液晶装置４００Ｒ，４００Ｇ，４００Ｂは、画像信号に基づき照明光束を変調するものであり、インテグレーター照明光学系１００の照明対象となる。液晶装置４００Ｒ，４００Ｇ，４００Ｂは、一対の透明なガラス基材に電気光学物質である液晶を密閉封入したものであり、例えば、ポリシリコンＴＦＴをスイッチング素子として、入力された画像信号に従い、後述する入射側偏光板から射出された１種類の直線偏光の偏光方向を変調する。
【００３３】
液晶装置４００Ｒ，４００Ｇ，４００Ｂの光路前段には、集光レンズ３００Ｒ，３００Ｇ，３００Ｂが配置されている。なお、図示省略しているが、集光レンズ３００Ｒ，３００Ｇ，３００Ｂと、各液晶装置４００Ｒ，４００Ｇ，４００Ｂとの間には、それぞれ入射側偏光板が介在配置され、各液晶装置４００Ｒ，４００Ｇ，４００Ｂと、クロスダイクロイックプリズム５００との間には、それぞれ射出側偏光板が介在配置されている。これらの入射側偏光板、液晶装置４００Ｒ，４００Ｇ，４００Ｂ、および射出側偏光板によって入射する各色光の光変調が行われる。
【００３４】
クロスダイクロイックプリズム５００は、射出側偏光板から射出された色光毎に変調された光学像を合成してカラー画像を形成する光学装置である。このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光、青色光は曲折され、緑色光の進行方向と揃えられることにより、３つの色光が合成される。
【００３５】
クロスダイクロイックプリズム５００から射出されたカラー画像は、投写光学系６００によって拡大投写され、投写対象面としてのスクリーンＳに投写画像を形成する。
【００３６】
なお、プロジェクター１には、冷却機構（図示省略）が配設されている。冷却機構は、少なくとも光源装置１１０を冷却する冷却ファン（図示省略）と、冷却ファンからの冷却風を流動する冷却用流路（図示省略）とを有する。なお、冷却機構は、光源装置１１０のみならず、他の光学系構成要素（例えば、液晶装置４００Ｒ，４００Ｇ，４００Ｂなど）を冷却する構成としてもよい。
【００３７】
図３は、発光管および副鏡を示す図であり、図３（ａ）は、発光管および副鏡の断面図であり、図３（ｂ）は、発光管および副鏡の斜視図である。なお、図３（ａ）は、副鏡６０部分を透視図で示している。なお、図３の光源装置１１０（発光管２０、副鏡６０）は、上方向から見た断面図で示している。
図３を参照（適宜、図２を参照）して、光源装置１１０の構成および動作を説明する。  なお、以下の説明においては、重力の方向を下方向（−Ｚ方向）とする。
【００３８】
光源装置１１０は、図２に示すように、リフレクター１０と、リフレクター１０の第１焦点近傍に発光中心を有する発光管２０と、管球部３０から射出された光束を反射する副鏡６０とを有する。そして、光源装置１１０は、照明光軸Ｌを中心軸とする光束を射出する。
【００３９】
リフレクター１０は、図２に示すように、楕円面状の凹面１１１を有するリフレクター本体１１と、後述する発光管２０の封止部（一方の封止部）４０の端部を挿入して固着するための筒部１２とを備えて一体に形成されている。また、リフレクター本体１１の凹面１１１上には、高反射率の反射層１３が形成されている。
【００４０】
また、筒部１２は、反射層１３およびリフレクター本体１１の中心部から反射層１３の反対側の面に延設された筒状体である。その筒部１２の内側には、後述する発光管２０の封止部４０の端部を挿通して固着するための開口部１２１が形成されている。なお、後述する発光管２０は、封止部４０の端部を開口部１２１に挿通し、開口部１２１と封止部４０との隙間にセメントなどの無機系接着剤Ｃを充填することにより、リフレクター１０の筒部１２に固着されている。
【００４１】
リフレクター１０（リフレクター本体１１、筒部１２）を構成する基材の材料としては、例えば結晶化ガラスやアルミナ（Ａｌ2Ｏ3）などを好適に用いることができる。反射層１３は、例えば酸化チタン（ＴｉＯ2）と酸化シリコン（ＳｉＯ2）との誘電体多層膜で形成されている。
【００４２】
発光管２０は、図２に示すように、照明光軸Ｌに沿って、球状の管球部３０と、管球部３０の両側に延びる一対の円柱状の封止部４０，５０と、を有する。また、発光管２０は、管球部３０に内蔵して照明光軸Ｌに沿って近接対向して配置された一対の電極４２，５２と、一対の封止部４０，５０内にそれぞれ封止された一対の金属箔４４，５４と、一対の金属箔４４，５４にそれぞれ電気的に接続された一対のリード線４６，５６と、を有する。
【００４３】
なお、発光管２０の構成要素の条件などを例示的に示すと、管球部３０および封止部４０，５０は、例えば石英ガラス製であり、管球部３０内には、水銀、希ガス、および少量の金属ハロゲン化物が封入されている。電極４２，５２は、例えばタングステン電極であり、金属箔４４，５４は、例えばモリブデン箔である。リード線４６，５６は、例えばモリブデンまたはタングステンから構成されている。また、発光管２０としては、高輝度発光する種々の発光管を採用でき、例えば高圧水銀ランプ、超高圧水銀ランプ、メタルハライドランプなどを採用できる。
【００４４】
副鏡６０は、図３に示すように、管球部３０の略半分を覆い、リフレクター１０の凹面１１１と対向して配置され、発光管２０から被照明領域に向けて射出された光束を発光管２０に向けて反射する部材である。副鏡６０は、凹面６１１を有する副鏡本体６１と、発光管２０の封止部（他方の封止部）５０に挿通して固定するための開口部６２１を有して形成される筒部６２とを備えて一体に形成されている。また、副鏡本体６１の凹面６１１上には、高反射率の反射層６３が形成されている。なお、反射層６３によって発光管２０から被照明領域に向けて射出された光束を発光管２０に向けて反射された光は、発光管２０を透過してリフレクター１０に入射する。
【００４５】
なお、副鏡６０（副鏡本体６１、筒部６２）を構成する材料としては、例えば石英ガラスを用いている。反射層６３は、例えば酸化タンタル（Ｔａ2Ｏ3）と酸化シリコン（ＳｉＯ2）との誘電体多層膜で形成されている。なお、副鏡６０は、本実施形態では、管状の石英ガラスを用いて、ブロー成形により形成し、その後、切削などを含む二次加工を行い、開口端面６４を有する副鏡本体６１、および筒部６２を形成している。
【００４６】
このように構成される副鏡６０は、発光管２０の封止部５０を筒部６２の開口部６２１に挿通し、筒部６２の開口部６２１と封止部５０との隙間にセメントなどの無機系接着剤Ｃを充填することで、発光管２０の封止部５０に固着されている。
【００４７】
図３に示すように、副鏡６０は、副鏡本体６１に、開口端面６４が形成されている。開口端面６４は、基本形状として、照明光軸Ｌに略垂直な平面となるように形成されている。そして、開口端面６４は、本実施形態では、開口端面６４の水平方向となるＹ軸方向（＋Ｙ方向）を切り欠いた切り欠き部６５を有している。
【００４８】
詳細には、本実施形態では、切り欠き部６５として、開口端面６４の左端部６４ａ（＋Ｙ方向）から後述する直交面６７にかけて形成される一様（傾斜角度が一定）な傾斜面６６を有して構成されている。そして、開口端面６４は、開口端面６４の右端部６４ｂ（−Ｙ方向）から照明光軸Ｌに略垂直な平面となるように形成され、切り欠き部６５（傾斜面６６）に接続する直交面６７を有している。従って、本実施形態の開口端面６４は、切り欠き部６５（傾斜面６６）と直交面６７とを有して構成されている。
【００４９】
プロジェクター１には、光源装置１１０を冷却する前述した冷却ファン（図示省略）が備えられており、冷却ファンからの冷却風は、図３に、矢印Ｅで示すように、副鏡６０の＋Ｙ方向から−Ｙ方向に向かって送風されている。言い換えると、冷却ファンからの冷却風は、副鏡６０の水平方向から送風される。これにより、管球部３０を冷却する冷却風は管球部３０の水平方向から吹き付けられる。
【００５０】
この冷却風（矢印Ｅ）は、例えば、冷却風（矢印Ｅ１）として流動する。その場合、冷却風（矢印Ｅ１）は、切り欠き部６５（傾斜面６６）を開口端面６４の左端部６４ａから形成したことにより、露出した管球部３０の左側面部に流動し易くなる。これにより、冷却風（矢印Ｅ１）は、切り欠き部６５（傾斜面６６）を介して管球部３０の左側面部から管球部３０と副鏡６０との隙間に流動し易くなる。これにより、管球部３０の上部（＋Ｚ方向）の温度を効率的に下げ、併せて、管球部３０の下部（−Ｚ方向）の温度も適切に下げる。
【００５１】
冷却風（矢印Ｅ１）は、管球部３０側面や、管球部３０と副鏡６０との隙間を円滑に流動し、開口端面６４の直交面６７により、管球部３０の封止部４０側を右側方向（−Ｙ方向）へ流動する。切り欠き部６５（傾斜面６６）への水平方向からの冷却風（矢印Ｅ１）の流動により、管球部３０の側面部において局所的に高温または低温となることを抑制し、急激な温度変化が抑制される。
【００５２】
なお、上述した光源装置１１０において、光源装置１１０が使用される姿勢としては、通常使用状態である。ここで、光源装置１１０を上下逆転して使用する姿勢となる天吊使用状態に変えた場合、副鏡６０の切り欠き部６５（傾斜面６６）や冷却風（矢印Ｅ１）の方向は左右逆転した位置関係となる。しかし、管球部３０を冷却する冷却風（矢印Ｅ１）は管球部３０の水平方向から吹き付けることには、変化が無いため、通常使用状態での動作と同様となる。
【００５３】
上述した実施形態によれば以下の効果が得られる。
（１）本実施形態の光源装置１１０によれば、副鏡６０の開口端面６４は、水平方向を切り欠いた切り欠き部６５を有しているため、冷却風（矢印Ｅ１）が送風された場合、切り欠き部６５を介して管球部３０と副鏡６０との隙間に冷却風（矢印Ｅ１）が入り易くなる。なお、切り欠き部６５が傾斜面６６で構成されるため、冷却風（矢印Ｅ１）を傾斜面６６に沿って円滑に流動でき、切り欠き部６５（傾斜面６６）を介して管球部３０と副鏡６０との隙間に冷却風（矢印Ｅ１）が円滑に入り易くなる。
【００５４】
（２）本実施形態の光源装置１１０によれば、管球部３０を冷却する冷却風（矢印Ｅ）は管球部３０の水平方向から吹き付けられることにより、光源装置１１０を使用する際の姿勢差（通常使用状態および天吊使用状態）による影響を低減させて管球部３０を適正に冷却することができる。
【００５５】
（３）本実施形態の光源装置１１０によれば、管球部３０の特に左側面部において局所的に高温または低温となることを抑制し、白化や黒化の発生を抑えることができる。従って、管球部３０の失透による光量の低下の抑制や、白化や黒化の進行による管球部３０の破損などを防止し、光源装置１１０の長寿命化を図ることができる。
【００５６】
（４）本実施形態の光源装置１１０によれば、上述した効果を奏するため、従来の冷却ファンに比べて、冷却ファンの回転数を低くすることもできるため、プロジェクター１の低騒音化を図ることができる。また、駆動における冷却ファンの低消費電力化も図ることができる。
【００５７】
（５）本実施形態のプロジェクター１によれば、上述した光源装置１１０を備えており、管球部３０と副鏡６０との隙間に冷却風（矢印Ｅ１）が入り易くなり、また、光源装置１１０を使用する際の姿勢差（通常使用状態および天吊使用状態）による影響を低減させて管球部３０を適正に冷却することができる。これにより、管球部３０の白化や黒化の発生を抑制できるため、光源装置１１０の長寿命化を図れるプロジェクター１を実現できる。また、光源装置１１０が長寿命化されるので、このような光源装置１１０をプロジェクター１などに用いた場合には、光源装置１１０の交換回数が減り産業廃棄物の削減が可能となる。
（第２実施形態）
【００５８】
図４は、第２実施形態に係る光源装置の発光管および副鏡を示す図であり、図４（ａ）は、発光管および副鏡の断面図であり、図４（ｂ）は、発光管および副鏡の斜視図である。また、図４（ａ）は、副鏡７０部分を透視図で示している。また、図４の光源装置１１５（発光管２０、副鏡７０）は、上方向から見た断面図で示している。なお、図４において、第１実施形態と同様の構成部には、同様の符号を付記し、その詳細な説明は省略する。図４に付記しているＸＹＺ直交座標系は、第１実施形態で使用した図１〜図３におけるＸＹＺ直交座標系と同様としている。また、本実施形態の光源装置１１５は、第１実施形態での光学系における光源装置１１０と置き換えて備えることで、第１実施形態と同様にプロジェクター１が構成される。
図４を参照して、本実施形態の光源装置１１５の構成および動作を説明する。
【００５９】
本実施形態の光源装置１１５は、第１実施形態と同様に構成されるリフレクター１０（図４では省略）と発光管２０とを備えている。本実施形態では、副鏡７０を構成する開口端面７４が、第１実施形態に係る副鏡６０の開口端面６４と異なっている。
【００６０】
副鏡７０は、第１実施形態と同様に、凹面６１１を有する副鏡本体６１と、発光管２０の封止部（他方の封止部）５０に挿通して固定するための開口部６２１を有して形成される筒部６２とを備えて一体に形成されている。また、副鏡本体６１の凹面６１１上には、高反射率の反射層６３が形成されている。
【００６１】
副鏡７０の副鏡本体６１に形成される開口端面７４は、第１実施形態と同様に、基本形状として、照明光軸Ｌに略垂直な平面となるように形成されている。第１実施形態と異なる点は、開口端面７４は、開口端面７４の左端部７４ａ（＋Ｙ方向）から右端部７４ｂ（−Ｙ方向）に渡り、一様（傾斜角度が一定）な傾斜面７６で構成される切り欠き部７５を有している点である。
【００６２】
冷却ファンからの冷却風は、図４に、矢印Ｆで示すように、副鏡７０の＋Ｙ方向から−Ｙ方向に向かって送風されている。言い換えると、冷却ファンからの冷却風は、副鏡７０の水平方向から送風される。これにより、管球部３０を冷却する冷却風は管球部３０の水平方向から吹き付けられる。
【００６３】
副鏡７０の＋Ｙ方向から−Ｙ方向に向かって、冷却風（矢印Ｆ）が送風された場合、冷却風（矢印Ｆ）は、例えば、冷却風（矢印Ｆ１）として流動する。その場合、切り欠き部７５（傾斜面７６）を開口端面７４の左端部７４ａから右端部７４ｂに渡って形成していることにより、冷却風（矢印Ｆ１）は、露出した管球部３０の左側面部に流動し易くなる。これにより、冷却風（矢印Ｆ１）は、切り欠き部７５（傾斜面７６）を介して管球部３０の左側面部から管球部３０と副鏡７０との隙間に流動し易くなる。これにより、管球部３０の上部（＋Ｚ方向）の温度を効率的に下げ、併せて、管球部３０の下部（−Ｚ方向）の温度も適切に下げる。
【００６４】
冷却風（矢印Ｆ１）は、管球部３０側面や、管球部３０と副鏡７０との隙間を円滑に流動し、開口端面７４の傾斜面７６により、管球部３０の封止部４０側を右側方向（−Ｙ方向）へ流動する。切り欠き部７５（傾斜面７６）への水平方向からの冷却風（矢印Ｆ１）の流動により、管球部３０の側面部において局所的に高温または低温となることを抑制し、急激な温度変化が抑制される。
【００６５】
なお、上述した光源装置１１５において、光源装置１１５が使用される姿勢としては、通常使用状態である。ここで、光源装置１１５を上下逆転して使用する姿勢となる天吊使用状態に変えた場合、副鏡７０の切り欠き部７５（傾斜面７６）や冷却風（矢印Ｆ１）の方向は左右逆転した位置関係となる。しかし、管球部３０を冷却する冷却風（矢印Ｆ１）は管球部３０の水平方向から吹き付けることには、変化が無いため、通常使用状態での動作と同様となる。
【００６６】
第２実施形態に係る光源装置１１５は、副鏡７０の開口端面７４の構成が異なる点以外の点では、第１実施形態に係る光源装置１１０と同様の構成を有するため、第１実施形態に係る光源装置１１０が有する効果のうち該当する効果をそのまま有する他、以下の効果が得られる。
【００６７】
（１）本実施形態の光源装置１１５によれば、副鏡７０の開口端面７４は、水平方向を切り欠いた切り欠き部７５を有しているため、冷却風（矢印Ｆ１）が送風された場合、切り欠き部７５を介して管球部３０と副鏡７０との隙間に冷却風（矢印Ｆ１）が入り易くなる。なお、切り欠き部７５が傾斜面７６で構成されるため、冷却風（矢印Ｆ１）を傾斜面７６に沿って円滑に流動でき、切り欠き部７５（傾斜面７６）を介して管球部３０と副鏡７０との隙間に冷却風（矢印Ｆ１）が円滑に入り易くなる。
【００６８】
（２）本実施形態の光源装置１１５によれば、管球部３０を冷却する冷却風（矢印Ｆ）は管球部３０の水平方向から吹き付けられることにより、光源装置１１５を使用する際の姿勢差（通常使用状態および天吊使用状態）による影響を低減させて管球部３０を適正に冷却することができる。
（第３実施形態）
【００６９】
図５は、第３実施形態に係る光源装置の発光管および副鏡を示す図であり、図５（ａ）は、発光管および副鏡の断面図であり、図５（ｂ）は、発光管および副鏡の斜視図である。また、図５（ａ）は、副鏡８０部分を透視図で示している。また、図５の光源装置１１６（発光管２０、副鏡８０）は、上方向から見た断面図で示している。なお、図５において、第１実施形態と同様の構成部には、同様の符号を付記し、その詳細な説明は省略する。図５に付記しているＸＹＺ直交座標系は、第１実施形態で使用した図１〜図３におけるＸＹＺ直交座標系と同様としている。また、本実施形態の光源装置１１６は、第１実施形態での光学系における光源装置１１０と置き換えて備えることで、第１実施形態と同様にプロジェクター１が構成される。
図５を参照して、本実施形態の光源装置１１６の構成および動作を説明する。
【００７０】
本実施形態の光源装置１１６は、第１実施形態と同様に構成されるリフレクター１０（図５では省略）と発光管２０とを備えている。本実施形態では、副鏡８０を構成する開口端面８４が、第１実施形態に係る副鏡６０の開口端面６４と異なっている。
【００７１】
副鏡８０は、第１実施形態と同様に、凹面６１１を有する副鏡本体６１と、発光管２０の封止部（他方の封止部）５０に挿通して固定するための開口部６２１を有して形成される筒部６２とを備えて一体に形成されている。また、副鏡本体６１の凹面６１１上には、高反射率の反射層６３が形成されている。
【００７２】
副鏡８０の副鏡本体６１に形成される開口端面８４は、第１実施形態と同様に、基本形状として、照明光軸Ｌに略垂直な平面となるように形成されている。第１実施形態と異なる点は、開口端面８４は、切り欠き部８５として、開口端面８４の左端部８４ａ（＋Ｙ方向）より右側（−Ｙ方向）から形成される一様（傾斜角度が一定）な傾斜面８６を有している点である。
【００７３】
詳細には、開口端面８４は、切り欠き部８５として、上述した開口端面８４の左端部８４ａより右側から形成される一様（傾斜角度が一定）な傾斜面８６と、開口端面８４の左端部８４ａから照明光軸Ｌに略垂直な平面として形成されて傾斜面８６に接続する直交面８７と、を有している。また、開口端面８４は、開口端面８４の右端部８４ｂ（−Ｙ方向）から照明光軸Ｌに略垂直な平面となるように形成され、傾斜面８６に接続する直交面８８を有している。従って、本実施形態の開口端面８４は、切り欠き部８５（直交面８７、傾斜面８６）と直交面８８とを有して構成されている。
【００７４】
冷却ファンからの冷却風は、図５に、矢印Ｇで示すように、副鏡８０の＋Ｙ方向から−Ｙ方向に向かって送風されている。言い換えると、冷却ファンからの冷却風は、副鏡８０の水平方向から送風される。これにより、管球部３０を冷却する冷却風は管球部３０の水平方向から吹き付けられる。
【００７５】
副鏡８０の＋Ｙ方向から−Ｙ方向に向かって、冷却風（矢印Ｇ）が送風された場合、冷却風（矢印Ｇ）は、例えば、冷却風（矢印Ｇ１）として流動する。その場合、切り欠き部８５として、傾斜面８６を開口端面８４の左端部８４ａより右側から形成し、左端部８４ａからは直交面８７が形成されていることにより、冷却風（矢印Ｇ１）は、露出した管球部３０の左側面部に流動し易くなる。これにより、冷却風（矢印Ｇ１）は、切り欠き部８５（傾斜面８６、直交面８７）を介して管球部３０の左側面部から管球部３０と副鏡８０との隙間に流動し易くなる。これにより、管球部３０の上部（＋Ｚ方向）の温度を効率的に下げ、併せて、管球部３０の下部（−Ｚ方向）の温度も適切に下げる。
【００７６】
冷却風（矢印Ｇ１）は、管球部３０側面や、管球部３０と副鏡８０との隙間を円滑に流動し、開口端面８４の直交面８７により、管球部３０の封止部４０側を右側方向（−Ｙ方向）へ流動する。切り欠き部８５（傾斜面８６、直交面８７）への水平方向からの冷却風（矢印Ｇ１）の流動により、管球部３０の側面部において局所的に高温または低温となることを抑制し、急激な温度変化が抑制される。
【００７７】
なお、上述した光源装置１１６において、光源装置１１６が使用される姿勢としては、通常使用状態である。ここで、光源装置１１６を上下逆転して使用する姿勢となる天吊使用状態に変えた場合、副鏡８０の切り欠き部８５（傾斜面８６、直交面８７）や冷却風（矢印Ｇ１）の方向は左右逆転した位置関係となる。しかし、管球部３０を冷却する冷却風（矢印Ｇ１）は管球部３０の水平方向から吹き付けることには、変化が無いため、通常使用状態での動作と同様となる。
【００７８】
第３実施形態に係る光源装置１１６は、副鏡８０の開口端面８４の構成が異なる点以外の点では、第１実施形態に係る光源装置１１０と同様の構成を有するため、第１実施形態に係る光源装置１１０が有する効果のうち該当する効果をそのまま有する他、以下の効果が得られる。
【００７９】
（１）本実施形態の光源装置１１６によれば、副鏡８０の開口端面８４は、水平方向を切り欠いた切り欠き部８５（傾斜面８６、直交面８７）を有しているため、冷却風（矢印Ｇ１）が送風された場合、切り欠き部８５（傾斜面８６、直交面８７）を介して円滑に流動でき、管球部３０と副鏡８０との隙間に冷却風（矢印Ｇ１）が更に入り易くなる。
【００８０】
（２）本実施形態の光源装置１１６によれば、管球部３０を冷却する冷却風（矢印Ｇ）は管球部３０の水平方向から吹き付けられることにより、光源装置１１６を使用する際の姿勢差（通常使用状態および天吊使用状態）による影響を更に低減させて管球部３０を適正に冷却することができる。
【００８１】
なお、上述した第１〜第３実施形態に限定されず、その要旨を逸脱しない範囲において種々の変更や改良などを加えて実施することが可能である。変形例を以下に述べる。
【００８２】
（変形例１）前記第１〜第３実施形態では、開口端面６４，７４，８４の切り欠き部６５，７５，８５は、一対の電極４２，５２の中間位置を通り照明光軸Ｌと直交するＹ−Ｚ平面に対して傾斜する傾斜面６６，７６，８６を備えている。しかし、これに限られず、切り欠き部は、傾斜面を有さず、一対の電極４２，５２の中間位置を通り照明光軸Ｌと直交するＹ−Ｚ平面に対して平行または垂直となる面で形成されていてもよい。
【００８３】
（変形例２）前記第１〜第３実施形態では、開口端面６４，７４，８４の切り欠き部６５，７５，８５が有する傾斜面６６，７６，８６は、傾斜角度がそれぞれ一定に構成されている。しかし、これに限られず、傾斜面は、２つ以上の傾斜角度（側面形状が２つ以上の直線形状）を有して構成されていてもよい。
【００８４】
（変形例３）前記第１〜第３実施形態では、開口端面６４，７４，８４の切り欠き部６５，７５，８５が有する傾斜面６６，７６，８６は、傾斜角度がそれぞれ一定であり、側面形状が直線形状となっている。しかし、これに限られず、側面形状が円弧形状となる傾斜面であってもよい。
【００８５】
（変形例４）前記第１実施形態では、切り欠き部６５は、開口端面６４の水平方向となるＹ軸方向（＋Ｙ方向）に形成されている。言い換えると、照明光軸Ｌを通るＸ−Ｚ平面に対して、＋Ｙ方向に形成されている。しかし、これに限られず、切り欠き部６５は、照明光軸Ｌを通るＸ−Ｚ平面に対して、＋Ｙ方向および−Ｙ方向（照明光軸Ｌを通るＸ−Ｚ平面に対して対称）に形成されていてもよい。この場合、冷却風の送風方向を管球部３０に対して水平方向となる＋Ｙ方向および−Ｙ方向のいずれかの方向に設定できるため、送風方向および冷却ファンの設置位置などの自由度が向上する。
【００８６】
（変形例５）前記第１〜第３実施形態のプロジェクター１は、射出された光束の照度を均一化する光学系として、第１レンズアレイ１２０および第２レンズアレイ１３０からなるレンズインテグレーター光学系を用いたが、これに限定されるものではなく、導光ロッドからなるロッドインテグレーター光学系も用いることができる。
【００８７】
（変形例６）前記第１〜第３実施形態のプロジェクター１は、フロントタイプのプロジェクターとして適用しているが、投写対象面としてのスクリーンを一体で有するリアタイプのプロジェクターにも適用できる。
【００８８】
（変形例７）前記第１〜第３実施形態のプロジェクター１の光学系において、光学変調装置としての液晶装置４００Ｒ，４００Ｇ，４００Ｂは、透過型の液晶装置を用いているが、反射型の液晶装置など、反射型の光学変調装置を用いることも可能である。
【００８９】
（変形例８）前記第１〜第３実施形態のプロジェクター１の光学系において、光学変調装置としての液晶装置４００Ｒ，４００Ｇ，４００Ｂを用いている。しかし、これに限られず、一般に、入射光束を画像信号に基づいて変調するものであればよく、マイクロミラー型光学変調装置などを用いてもよい。なお、マイクロミラー型光学変調装置としては、例えば、ＤＭＤ（Digital Micromirror Device）を用いることができる。
【００９０】
（変形例９）前記第１〜第３実施形態のプロジェクター１の光学系において、光学変調装置は、赤色光、緑色光、および青色光に対応して３つの液晶装置４００Ｒ，４００Ｇ，４００Ｂを用いる、いわゆる３板方式を採用している。しかし、これに限られず、単板方式を採用してもよい。また、コントラストを向上させるための液晶装置を追加して採用してもよい。
【符号の説明】
【００９１】
１…プロジェクター、１０…リフレクター、１１…リフレクター本体、１２…筒部、１３…反射層、２０…発光管、３０…管球部、４０，５０…封止部、６０…副鏡、６１…副鏡本体、６２…筒部、６３…反射層、６４…開口端面、６５…切り欠き部、６６…傾斜面、７０…副鏡、７４…開口端面、７５…切り欠き部、７６…傾斜面、８０…副鏡、８４…開口端面、８５…切り欠き部、８６…傾斜面、１１０，１１５，１１６…光源装置、Ｌ…照明光軸。
【図１】
2010198816.tif 000003
【図２】
2010198816.tif 000004
【図３】
2010198816.tif 000005
【図４】
2010198816.tif 000006
【図５】
2010198816.tif 000007